(57)【要約】  本発明は、少なくとも１つの送信装置（１０１）とデータを受信することができる少なくとも１つの端末（１０２）とを備える通信網（１００）内での、通信の管理に関する。  本発明の管理方法は、  シングルキャリヤ変調に基づく第１の通信モードを使用する、行き先端末と呼ばれる端末の１つと送信装置と呼ばれる送信装置の１つとの間で、通信の確立（３０４、３０９、３１２）と、  送信装置と行き先端末との間の通信に割り当てられるマルチキャリヤ変調を使用する通信チャネルを用いる、マルチキャリヤ変調（ＯＦＤＭ）を使用して第２の通信モード（３０７、３１０）に渡すことと  を含む。  本発明によれば、前記第１の通信モードと第２の通信モードとは交互に連続して実行される。本発明は対応する信号、送信装置、及び行き先端末にも関する。
2005514865.tif 000002
【特許請求の範囲】
【請求項１】
少なくとも１つの伝送装置（１０１）と前記少なくとも１つの伝送装置からデータを受信することができる少なくとも１つの端末（１０２）とを備える通信網（１００）であって、
シングルキャリヤ変調に基づいた第１の通信モードを使用して、伝送装置と呼ばれる前記伝送装置の１つと受信端末と呼ばれる前記端末の１つとの間に通信をセットアップする（３０４、３０９、３１２）ステップと、
マルチキャリア変調（ＯＦＤＭ）を使用する第２の通信モード（３０７、３０８）に切り替えるステップであって、前記マルチキャリア変調を使用する通信チャネルが前記伝送装置と前記受信端末との間の通信に割り当てられるものであるステップと
を備え、
第１の通信モードと第２の通信モードとが連続的、且つ交互に実現されることを特徴とする、通信管理方法。
【請求項２】
前記変調が保護間隔を備えるＯＦＤＭ型変調であることを特徴とする請求項１に記載の方法。
【請求項３】
前記変調がＩＯＴＡ型変調であることを特徴とする請求項１に記載の方法。
【請求項４】
前記第１の通信モードが伝送装置と受信端末との間の通信のセットアップ（３０１、３０２、３０４）、維持（３０９）、及び終了（３１２）の管理のための動作を実施することができることを特徴とする請求項１から３のいずれかに記載の方法。
【請求項５】
前記通信網が移動通信網（ＵＭＴＳ）であることを特徴とする請求項１から４のいずれかに記載の方法。
【請求項６】
前記第１の通信モードが、前記伝送装置により管理されるすべての端末に向けられた少なくとも１つの共通チャネル（ＦＡＣＨ）を使用することを特徴とする請求項５に記載の方法。
【請求項７】
前記第１の通信モードが、前記第２の通信モードへの前記切り替えを可能にする、少なくとも１つのアクセスチャンネル型（ＦＡＣＨ）ダウンリンク共通チャンネルを使用することを特徴とする請求項６に記載の方法。
【請求項８】
前記第１の通信モードが、第２の通信モードが使用されているときに前記受信端末に正確に送信されるデータを確認応答するために、少なくとも１つのアップリンク共通チャネル（ＲＡＣＨ）を使用することを特徴とする請求項１から７のいずれかに記載の方法。
【請求項９】
前記第２の通信モード（ＯＦＤＭ）が、前記伝送装置と前記受信端末との間で高速でデータを送信することができることを特徴とする請求項１から８のいずれかに記載の方法。
【請求項１０】
前記第２の通信モードが、前記受信端末にインターネット型のデータを送信することができることを特徴とする請求項９に記載の方法。
【請求項１１】
前記伝送装置がセルラー通信網の基地局であることを特徴とする請求項１から１０のいずれかに記載の方法。
【請求項１２】
少なくとも１つの伝送装置（１０１）と前記少なくとも１つの伝送装置からデータを受信することができる少なくとも１つの端末（１０２）とを備える通信網の信号（１００）であって、
それぞれ第１の通信モードと第２の通信モードと呼ばれる２つの通信モード、
伝送装置と呼ばれる前記伝送装置の少なくとも１つと受信端末と呼ばれる前記端末の１つとの間で通信をセットアップする（３０４、３０９、３１２）ときに使用される、シングルキャリヤ変調に基づいた第１の通信モードと、
前記伝送装置と前記受信端末との間の通信に割り当てられる、前記マルチキャリア変調を使用する通信チャネルで使用されるマルチキャリア変調（ＯＦＤＭ）を使用する第２の通信モード（３０７、３１０）と
を備え、
第１の通信モードと第２の通信モードとが連続的、且つ交互に使用されることを特徴とする通信網の信号。
【請求項１３】
前記伝送装置からデータを受信することができる少なくとも１つの端末（１０２）を備える通信網（１００）で用いられる伝送装置（１０１）であって、
シングルキャリヤ変調に基づいて第１の通信モード（３０４、３０９、３１２）を使用して前記伝送装置と、受信端末と呼ばれる前記端末の１つとの間で通信をセットアップする手段と、
マルチキャリア変調（ＯＦＤＭ）を使用する第２の通信モード（３０７，３１０）への切り替えの手段であって、前記マルチキャリア変調を使用する通信チャネルが前記伝送装置と前記受信端末との間の通信に割り当てられるものである手段と
を含み、
前記第１の通信モードと第２の通信モードとが連続的、且つ交互に使用されることを特徴とする伝送装置。
【請求項１４】
少なくとも１つの伝送装置（１０１）と前記少なくとも１つの伝送装置からデータを受信することができる前記端末とを備える通信網（１００）で用いられる受信端末（１０２）であって、
シングルキャリヤ変調に基づいて伝送装置と呼ばれる前記伝送装置の１つと第１の通信モード（３０４、３０９、３１２）を使用する前記端末との間で通信をセットアップする手段と、
マルチキャリア変調（ＯＦＤＭ）を使用する第２の通信モード（３０７，３１０）に変更する手段であって、前記マルチキャリア変調を使用する通信チャンネルが前記伝送装置と前記受信端末との間の通信に割り当てられるものである手段と
を備え、
前記第１の通信モードと第２の通信モードとが連続的、且つ交互に使用されることを特徴とする受信端末。
【発明の詳細な説明】
【技術分野】
【０００１】
本発明は電気通信の分野に関する。より具体的には、本発明は、特に、セルラーネットワーク内での、特に、高速でのデータの伝送とメソッド化（ｍｅｔｈｏｄｉｎｇ）に関する。
【背景技術】
【０００２】
第３世代とさらに最近の無線電話システムは、非常に高速なデータの伝送を必要とする多くのサービスと応用例とをすでに取り扱っているか、取り扱うことになるであろう。特に、インターネットまたは同様なネットワークを通るデータの転送（例えば、音声、及び／または固定画像または動画画像を記憶するファイル）に割り当てられるリソースは、使用可能なリソースの圧倒的な部分を占め、おそらく、最終的には、ほぼ一定に留まるはずである音声通信に割り当てられるリソースを超えるであろう。
【０００３】
しかしながら、無線電話装置のユーザーが使用できる総スループットは、使用可能な周波数の数によって制限されている。リソースの十分な有用性を可能にするために従来使用されてきた１つの特定の方法が、指定領域内でセルの密度を増やすことである。したがって、ネットワークインフラは、相対的に小さなセルである「マイクロセル」に分割されることになる。このような技術の１つの不利な点は、それが相対的に複雑で、高価な要素である多数の固定局（ＵＭＴＳ規格によれば、Ｂノード局と呼ばれる基地局（ＢＳ））を必要とする点である。さらに、見込まれるデータ・スループットは高いが、最適ではない。さらに、より高いレベルでは、セルの数、したがって局数がさらに増加するにつれて、管理がさらに複雑になることは明らかである。
【０００４】
第３世代のＵＭＴＳ（汎用移動通信システム）ネットワークの容量も、隣接するセルまたはネットワークの間の干渉によって制限される。
【０００５】
さらに、すべての既存の無線電話システムのように、現在開発中である第３世代システムは対称構造に基づいている。したがって、３ＧＰＰ（第３世代移動体通信システム標準化プロジェクト）により定義されるＵＭＴＳ規格はダウンリンクチャネル（基地局から端末）とアップリンクチャネル（端末から基地局）との間で、ＦＤＤ（周波数分割複信）メインリンクのために対称分散を使用している。また、ある程度の非対称性を可能にするＴＤＤ（時分割複信）もある。しかしながら、このようにして使用可能な非対称性は、移動性の有無に関わらず、ダウンリンクチャネルでのインターネットタイプの高速サービスに対するユーザーのニーズを考慮して制限されている。
【０００６】
したがって、１つの解決策はＷ−ＣＤＭＡ（メインチャネルで実現される広帯域符号分割多重接続）と共にマルチキャリヤ変調（二次チャネルで実行される）を使用することである。例えば、ＯＦＤＭ（直交周波数分割多重方式）チャネルは、二次高速ダウンリンクチャネルで導入され、同じセルのすべてのユーザー装置により共用されるであろう（特にウェーブコム社によって１９９８年４月１０日に提出されたフランス特許第９８  ０４８８３号に説明されている）。従来の技術からすると、この技術は、ＯＦＤＭ信号とユーザー装置用のシングルキャリヤ信号との間に障害を示すという不利な点がある。さらに、メインチャネルから二次チャネルへのシグナリングデータの切り替えは最適化されておらず、二次チャネルから帯域幅を不必要に使用する。さらに、本技術のインプリメンテーションは相対的に複雑で、したがって高価であり、ユーザー装置は二次ダウンリンクチャネルでデータを受信すると同時にメインアップリンクチャネルでデータを送信することができなければならない。
【発明の開示】
【発明が解決しようとする課題】
【０００７】
本発明の多様な態様は、従来の技術のこれらの不利な点を克服することを目的とする。
【０００８】
より具体的には、本発明の１つの目的は、端末、例えば移動無線電話型端末への高速でデータの伝送を可能にする新たな通信管理の技術を提供することである。
【０００９】
本発明の別の目的は、既知の移動無線通信規格と、特に、ＵＭＴＳ規格に適合するこのような技術を提供することである。
【００１０】
本発明の別の目的は、時間において、及び周波数において使用可能なリソースの使用を最適化して、特に、高速なデータの伝送によく対応した伝送の方法に基づいたこのような技術を提供することである。
【００１１】
本発明の別の目的は、ユーザー端末の相対的に簡略な、従って相対的に安価なインプリメンテーションを可能にするこのような技術を提供することである。
【００１２】
本発明の別の目的は、不利な受信条件下においても高速なデータの受信を可能にするこのような技術を提供することである。（特に、高いユーザー端末の移動速度の場合、例えば、少なくとも約２５０ｋｍ／時、及び／または複数の経路のある受信条件）
【００１３】
本発明の別の目的は、特に、同じ地理上の区域、または隣接する領域をカバーする１つ、もしくは複数のネットワークでのスループットの大局的な増加を可能にすることによって、データの伝送を最適化することである。
【課題を解決するための手段】
【００１４】
本発明は、少なくとも１つの伝送装置と少なくとも１つの伝送装置からデータを受信することができる少なくとも１つの端末とを備える通信網で、通信の管理方法を提案することにより、これらの目的を達成して、それが、
シングルキャリヤ変調に基づいて第１の通信モードを使用して、伝送装置と呼ばれる伝送装置の１つと受信端末と呼ばれる端末の１つとの間で、通信をセットアップするステップと、
マルチキャリア変調、伝送装置と受信端末の間の通信に割り当てられるマルチキャリア変調を使用する通信チャネルを使用する第２の通信モードへの切り替えるステップと
を含み、
第１の通信モードと第２の通信モードとが連続して、交互に実行されることを特徴とする。
【００１５】
１つの特定の特徴によれば、本発明方法は、変調が保護間隔をもつＯＦＤＭ型の変調であることを特徴とする。
【００１６】
１つの特定の特徴によれば、本発明方法は、変調がＩＯＴＡ型の変調であることを特徴とする。
【００１７】
したがって、本発明は、マルチキャリアによる、特に、保護間隔、またはＩＯＴＡがあるＯＦＤＭ型の変調の使用を可能にして、ＩＯＴＡ型の変調は、特に、質の悪い伝送／受信状況での高速なデータの伝送に特に適している。（例えば、ドップラー効果に従う非常に騒々しい無線チャネルがある場合）
【００１８】
ＩＯＴＡ（等方性直交変換アルゴリズム）型の変調が、１９９５年５月２日に提出されたフランス特許第９５  ０５４５５号に定義されていることに注意されたい。特に、ＩＯＴＡの変調は、それぞれが一連の記号、つまり記号時間τ0により分離される２つの連続記号、記号時間τ0の逆数の半分に等しい２つの隣接する搬送波の間の分離ν0に対応する複数の基本キャリヤの周波数多重化に対応するデジタル受信機に送信されるマルチキャリヤ信号に基づいており、各搬送波は搬送波ν0の間のスペーシングより２倍大きい帯域幅でのスペクトル整形フィルタリングにより影響を及ぼされ、フィルタリングは各記号が時間領域内と周波数領域内とで必ず集中するように選ばれる。
【００１９】
１つの特定の特性によれば、本発明方法は、第１の通信モードが、伝送装置と受信端末との間の通信のセットアップ、維持、及び終了の管理のための動作を実行できることを特徴とする。
【００２０】
このようにして、第１のモードは、高いスループットに対する必要がなく、特に、通信の管理に調整することができる。
【００２１】
１つの特定の特性によれば、本発明方法は、通信網が移動通信網（ＵＭＴＳ）であるということを特徴とする。
【００２２】
１つの特定の特徴によれば、本発明方法は、第１の通信モードが伝送装置により管理されるすべての端末に関して使用される少なくとも１つの共通のチャネルを使用することを特徴とする。
【００２３】
したがって、少なくとも１つの共通のチャネルを使用することにより、特に、高速なデータの伝送（専用チャネルが使用される場合には当てはまらない）のために、相対的に短い通信のセットアップの時間が可能になる。
【００２４】
さらに、専用チャネルを実行するより、第１の通信モードで少なくとも１つの共通チャネルを実現する方がはるかに容易である。特に、第１の通信モードに１つまたは複数の共通チャネルが使用される場合には、ＯＦＤＭモードに切り替えるときにはハンドオーバ手順を実現する必要がないのに対して、専用チャネルを使用することによりこのような手順を使用する、あるいは受信端末の中に２つの受信機（それぞれがモードの一方に割り当てられている）を含むことが必要になる。
【００２５】
さらに、少なくとも１つの共通チャネルを使用する第１の通信モードを使用することにより、特に、通信（例えば、ＷＣＤＭＡ（広帯域符号分割多元接続）型の接続の使用に基づいた）をセットアップすることを目的とするチャネルと高速なデータの伝送（例えばＯＦＤＭの変調に基づいた）を可能にするチャネルとの間の障害を避けることが可能になる。
【００２６】
この特徴により、第２の通信モードに使用できる周波数の範囲における、より幅広い選択も可能になる。
【００２７】
１つの特定の特徴によれば、本発明方法は、第１の通信モードが、第２の通信モードに切り替えを可能にする、少なくとも１つのアクセスチャネル型（ＦＡＣＨ）のダウンリンク共通チャネルを使用するということを特徴とする。
【００２８】
このようにして、本発明はＵＭＴＳネットワークで有利に使用されて、第１の通信モードは、共通チャネル、例えば、規格に定義されるＦＡＣＨ型のダウンリンク共通チャネルを使用する。
【００２９】
１つの特定の特徴によれば、本発明方法は、第１の通信モードが、第２の通信モードが使用されているときに受信端末に正しく送信されるデータを確認応答（acknowledgement）するために少なくとも１つのアップリンク共通チャネル（ＲＡＣＨ）を使用することを特徴とする。
【００３０】
１つの特定の特徴によれば、本発明方法は、第２の通信モードが伝送装置と受信端末との間で高速でデータを送信できることを特徴とする。
【００３１】
１つの特定の特徴によれば、本発明方法は、第２の通信モードが受信端末にインターネット型のデータを送信できることを特徴とする。
【００３２】
したがって、第２の伝送モードは、特に、ダウンリンク方向で高速なデータの伝送が十分にできるために、本発明はインターネット型のデータ（ｅ−メール、ウェブサイト、ファイル、画像及び／または音声転送の表示など）の伝送のために、正確に且つ効率的に適用できる。
【００３３】
１つの特定の特徴によれば、本発明方法は、伝送装置がセルラー通信網の基地局であるということを特徴とする。
【００３４】
したがって、本発明は、セルラーネットワーク内で特に効率的に使用することができて、基地局は既存のセルラーネットワーク規格（例えばＵＭＴＳ）と適合する第１の相対的に低速の通信モードを実現して、第２の通信モードは困難である場合がある環境での高速なデータの転送を可能にする。
【００３５】
本発明は、少なくとも１つの伝送装置と伝送装置（複数の場合がある）からデータを受信することができる少なくとも１つの端末とを備える通信網の信号にも関して、それが、それぞれ第１の通信モードと第２の通信モードと呼ばれる２つの通信モード、
伝送装置と呼ばれる複数の伝送装置の内の少なくとも１つと受信端末と呼ばれる端末の１つの間との通信をセットアップするときに使用される、シングルキャリヤ変調に基づいた第１の通信モードと、
伝送装置と受信端末との間の通信に割り当てられる、マルチキャリア変調を使用する通信チャネルで使用されるマルチキャリア変調を使用する第２の通信モードと
を含み、
第１の通信モードと第２の通信モードとは連続して、交互に使用されるということを特徴とする。
【００３６】
本発明は、伝送装置からデータを受信することができる少なくとも１つの端末を備える通信網で使用するために設計された伝送装置にも関し、それが以下の手段、
シングルキャリヤ変調に基づいて第１の通信モードを使用して、伝送装置と受信端末と呼ばれる端末の１つの間とで通信をセットアップする手段と、
マルチキャリア変調を使用して第２の通信モードに切り替える手段であって、マルチキャリア変調を使用する通信チャネルが伝送装置と受信端末との間の通信に割り当てられるものである手段と
を含み、
第１の通信モードと第２の通信モードとが連続して、交互に使用されるということを特徴とする。
【００３７】
本発明は、少なくとも１つの伝送装置を備える通信網で使用するために向けられた受信端末にも関し、該端末は伝送装置（複数の場合がある）からデータを受信することができて、それが以下の手段、
伝送装置と呼ばれる複数の伝送装置の内の１つとシングルキャリヤ変調に基づいた第１の通信モードを使用する端末との間で通信をセットアップする手段と、
マルチキャリア変調を使用する第２の通信モードに変更して、マルチキャリア変調を使用する通信チャネルが伝送装置と受信端末との間の通信に割り当てられる手段と
を含み、
第１の通信モードと第２の通信モードとが連続的、且つ交互に使用されるということを特徴とする。
【００３８】
受信端末、伝送装置、及び信号の優位点は、通信の管理方法の優位点と同じであり、さらに詳細に説明されない。
【００３９】
本発明の他の特徴と優位点は、単純な例示的且つ非制限的な例として示される好ましい実施形態の以下の説明と添付図面とを読んだ後で、さらに明らかになる。
【発明を実施するための最良の形態】
【００４０】
本発明の一般原則は、例えばＵＭＴＳ型チャネル（特にＦＡＣＨ共通チャネル）に基づく通信（セットアップ、保持、及び終了）を管理するためにシングルキャリヤ変調を使用する第１の通信モードから、高速でデータを送信するためにマルチキャリア変調（例えば、保護間隔のあるタイプで、特に、ＯＦＤＭ、またはＩＯＴＡ型）に基づく第２の通信モードに変更することに基づいている。
【００４１】
本発明の１つの特定の実施形態によれば、端末はこのようにして、それが属するネットワークに対する要求を行うためにＰＲＡＣＨチャネルを使用することができ、基地局は要求を受け取ってから、スループットが高すぎてＦＡＣＨ（順方向アクセスチャネル）共通チャネルによって搬送できないときにＯＦＤＭ変調を使用する共通チャネルで応答及び／またはデータを送信する。
【００４２】
エラー補正コード及びインタレースと関連付けられたマルチキャリア変調は、特に無線−モバイル環境における高速伝送についてのその優位点を示してきた。したがって、マルチキャリア変調技術（特に、保護間隔のあるＯＦＤＭまたはＩＯＴＡ）の使用は、高いスペクトル効率が必要とされるときに、及びチャネルが強力に固定されていないときに有効である。
【００４３】
さらに、専用チャネルがＵＭＴＳ規格により位置の更新のために開放されなければならないＧＳＭ規格に適合するネットワークと異なり、ＰＲＡＣＨチャネルは位置を更新するために使用される唯一の物理チャネルである。その速度は制限されているが、それはＧＳＭよりはるかに高く、その結果、この種の解決策は放送の応用例に制限されることなく提供できる。
【００４４】
したがって、本発明は、第１のシングルキャリヤ通信モードから第２のマルチキャリア通信モードへの切り替えを可能にして、マルチキャリアチャネルは、好ましくは基地局と端末との間の通信に割り当てられ、複数の端末に関する放送の応用例に制限されない。
【００４５】
さらに、本発明によれば、端末は、特に、データ転送基地局に要求を送信するために、ＰＲＡＣＨチャネルの代わりにＰＣＰＣＨチャネル（物理共通パケットチャネル）を使用できて、その結果、データはマルチキャリア変調を使用してダウンリンク方向で高速で送信される。このようにしてＯＦＤＭチャネルはＰＣＰＣＨチャネルと結合できる。
【００４６】
ユーザー端末は、特に、モバイル無線端末または固定無線端末（例えば無線通信システムを備える携帯電話または他の装置（特にポータブルコンピュータ））を含むことに注意する。
【００４７】
図１は、本発明を使用する移動無線電話ネットワークのブロック図を示す。
【００４８】
例えば、ネットワークは、３ＧＰＰ委員会によって定義されるＵＭＴＳ（汎用移動通信システム）規格に適合できる。
【００４９】
ネットワークは基地局（ＢＳ）１０１により管理されるセル１００を含む。
【００５０】
該セル１００自体は、基地局１０１と端末（ＵＥ）１０２、１０３、及び１０４を含む。
【００５１】
端末１０２、１０３、及び１０４は、アップリンクチャネルとダウンリンクチャネルとを通してデータ（アプリケーション型の層のために）及び／または信号を基地局１０１と交換できる。このようにして端末１０２と基地局１０１は、
シグナリング及び／または端末１０２との通信制御データのトランスポートのために使用されるシングルキャリヤダウンリンクチャネル１１０と、
また、シグナリング及び／または通信制御データを搬送するためのシングルキャリヤアップリンクチャネル１１１と、
基地局１０１から端末１０２への高速なデータの転送を可能にする、例えばＯＦＤＭ型のマルチキャリアダウンリンクチャネル１１２と
を通して通信で接続される。
【００５２】
デフォルトによって、端末は、スタンバイモード、つまりは通信モードにはないが、存在して、通信のために使用可能であるモードにある。第１の通信モードでは、この端末は、シングルキャリヤ変調を使用して、特に、ダウンリンクチャネル上の基地局１０１により送信される信号をリスンしている。これらの信号は、
特に、ＢＣＨ（放送チャネル）とＰＣＨ（ページングチャネル）とでさらに高い通信プロトコル層に提供されるサービスに対応する共通トランスポートチャネルと、
特に、ＣＰＩＣＨ（共通パイロットチャネル）チャネルで、通信プロトコルの物理層に対応する共通トランスポートチャネルと
で送信される。
【００５３】
第３世代（３Ｇ）のモバイルネットワークにより使用されるチャネルは、モバイルネットワークの当業者には周知であり、特に「第３世代移動体通信システム標準化プロジェクト：技術仕様グループ無線接続ネットワーク；物理チャネル及び物理チャネル（ＦＤＤ）へのトランスポートチャネルのマッピング、リリース１９９９年（３rd  ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｐｈｙｓｉｃａｌ  Ｃｈａｎｎｅｌｓ  ａｎｄ  ｍａｐｐｉｎｇ  ｏｆ  ｔｒａｎｓｐｏｒｔ  ｃｈａｎｎｅｌｓ  ｏｎｔｏ  ｐｈｙｓｉｃａｌ  ｃｈａｎｎｅｌｓ（ＦＤＤ）ｒｅｌｅａｓｅ  １９９９）」規格、参考文献３Ｇｐｐ．ＴＳ２５．２１１に指定され、３ＧＰＰ出版局によって配布されている。したがって、これらのチャネルはさらに詳細に説明されないであろう。
【００５４】
図２は、図１に関して示されるように図式的に基地局１０１を示す。
【００５５】
基地局１０１は、アドレスとデータバス２０７とを通して互いに接続されている、
ｍｅｔｈｏｄｏｒ２０４と、
ＲＡＭ２０６と、
不揮発性メモリー２０５と、
モバイルネットワーク内の固定インフラへ、または他のネットワークへの接続を可能にする有線ネットワークインタフェース２００と、
専用アップリンクチャネルで基地局１０１と通信する端末により送信される信号を受信するための受信無線インタフェース２０１と、
専用ダウンリンクチャネル上と物理層に対応する共通トランスポートチャネル上とでシングルキャリヤ変調またはマルチキャリヤ変調を使用して信号を送信するための無線伝送インタフェース２０２と、
制御と保守のための機械との対話用のマン・マシン・インターフェース２０３と
を含む。
【００５６】
ＲＡＭ２０６は、データ、変数２０９、及び中間メソッド化（ｍｅｔｈｏｄｉｎｇ）の結果を記憶する。
【００５７】
不揮発性メモリー２０５は、便宜上それらに記憶されるデータと同じ名前が割り当てられた、
「ｐｒｏｇ」レジスタ２１０内で、ｍｅｔｈｏｄｏｒ２０４のオペレーティングプログラムと、
基地局１０１用の構成パラメータ２１１と
をレジスタに記憶する。
【００５８】
示されていない１つの端末は、アドレスとデータバスとを通して互いに接続され、
ｍｅｔｈｏｄｏｒと、
ＲＡＭと、
不揮発性メモリーと、
シングルキャリヤ変調またはマルチキャリア変調で基地局１０１により送信される信号を同期させ、一般的には受信するための無線受信インタフェースと、
専用アップリンクチャネル上と共通アップリンクトランスポートチャネル上とでシングルキャリヤ変調で信号を送信するための無線伝送インタフェースと、
制御と保守のために機械との対話を可能にするマン・マシン・インターフェースと
を含むことに注意する。
【００５９】
図３は、シングルキャリヤ変調を用いる第１の通信モードとマルチキャリア変調で端末１０２に割り当てられるチャネルの使用に基づいた第２の通信モードとを使用する通信をしている基地局１０１と端末１０２との間の通信プロトコルを示す。
【００６０】
基地局１０１は、セル１００に存在する端末、特に、端末１０２にダウンリンクチャネルＳＣＨ上で信号３００を送信する。したがって、端末１０２は基地局１０１のＳＣＨチャネル上で同期される。
【００６１】
このＳＣＨ信号は基地局１０１によって規則正しく送信されること、及び端末１０２の同期が指定の所定閾値未満で劣化すると、すぐにそれが基地局１０１上で再度同期されることに注意する。
【００６２】
基地局１０１は、ＢＣＨチャネルで信号３０１も送信する。このダウンリンク信号は、端末１０２がどのＰＣＨチャネルをリスンする必要があるのかを示す。したがって、この信号の受信後に、端末１０２は信号３０２によって示されるＰＣＨチャネルをリスンすることに専念する。
【００６３】
次に、基地局１０１は、信号３０１によって示されるＰＣＨチャネル上で端末１０２に信号を送信して、このようにしてこの信号は入信の合図を検出するために使用される。
【００６４】
端末１０２が通信の初期化を希望していると仮定すると、それはＲＡＣＨ（チャネルアクセスの高層サービスに対応する共通チャネルであるランダムアクセスチャネル）で信号３０３を送信して、この信号３０３は、端末１０２が、通信がセットアップされることを要求していることを基地局１０１に示す。
【００６５】
次に、基地局１０１は、やはり第１の通信モード（シングルキャリヤを用いる）に従った、高層サービスに対応する共通チャネルでもあるＦＡＣＨ（高速アクセスチャネル）上で通信チャネルの割り当ての信号３０４を送信する。
【００６６】
第１の通信モードに対応する信号はＵＭＴＳ規格に定義される最初の２つの層（物理層とリンク層）に適合している。本発明によれば、レベル３で、基地局はいつ、どこで、及びどのようにしてＯＦＤＭをリスンするかを示す。
【００６７】
次に、端末１０２は、本発明によれば、端末１０２の同期を改善するパイロットチャネルＣＰＩＣＨ３０５をリスンし始める。
【００６８】
次に通信が端末１０２と基地局１０１との間でセットアップされる。
【００６９】
携帯電話は、既存のＵＭＴＳ−ＦＤＤ規格に指定されるようにネットワークからの応答を獲得するために、ＦＡＣＨチャネル３０４をリスンしつつＰＲＡＣＨアップリンクチャネル３０６（ＲＡＣＨチャネルに対応する物理チャネル）を通して要求を送信する。特に、ＦＡＣＨチャネルで使用可能な速度が低すぎる場合に、ネットワークが大量の情報が携帯電話に送信されなければならないと判断する場合には、基地局１０１は第１の通信モードに対応するＦＡＣＨチャネル３０４を通して端末１０２に対して、第２の通信モードに関連付けられるＯＦＤＭチャネルをリスンするように知らせる。
【００７０】
このようにして、本発明によれば、ＯＦＤＭ変調を使用するＯＦＤＭチャネルと呼ばれる共通チャネルを使用することは、ＲＡＣＨ／ＦＡＣＨ共通チャネルと一体となっている（換言すると、端末はＲＡＣＨ要求を送信して、基地局は、ＲＡＣＨ（アップリンクチャネル）とＦＡＣＨ（ダウンリンクチャネル）との物理的な伝送特徴を変更しないで、基地局１０１と端末１０２との間のデータの伝送がマルチキャリヤを用いる第２の通信モードを使用して実施されることを端末１０２に対して示すＦＡＣＨフレームで応答する）。
【００７１】
ＦＡＣＨチャネルは、携帯電話がＯＦＤＭチャネルを正しくリスンするために使用するシグナリング情報をトランスポートする。次にＦＡＣＨは、いつ（換言すると端末に送信されるブロックの開始時刻と終了時刻）、どこで（周波数帯では、伝送は必ずしも使用可能な周波数帯全体を使用しない）、及びどのようにして（ドップラー拡散、遅延拡散など）ＯＦＤＭチャネルをリスンし、関係するデータブロックを受信するかを示す。デフォルトにより、基地局は所定の特徴（記号時間、サブキャリヤ間のスペーシング、及び基準記号またはパイロット記号の分散）のあるＯＦＤＭ変調を使用する。１つの変形によると、これらの特徴は基地局により動的に最適化されて、伝搬チャネルの特徴の関数として調整する。
【００７２】
したがって、基地局１０１と端末１０２との間の通信は、マルチキャリア変調を使用する第２の通信モードに変化する。このようにして、基地局１０１は信号３０７を通してＯＦＤＭ共通チャネル上でデータを送信する。
【００７３】
次に、端末１０２はＲＡＣＨチャネル３０８でレベル２の確認応答を送信する。
【００７４】
それから、端末はＦＡＣＨチャネル３０９のリスンを開始する。
【００７５】
それぞれの信号３０４、３０７、及び３０８に類似したＦＡＣＨ信号３０９、ＯＦＤＭ信号３１０、及びＲＡＣＨ信号３１１は、次に、基地局１０１と端末１０２との間で交換される。これらの交換は、送信されるデータの数に応じて繰り返されることができる。
【００７６】
チャネルが基地局１０１と端末１０２との間の接続に割り当てられる１つの変形によれば、データは初期のＰＲＡＣＨの要求３０５は別として、ＰＲＡＣＨを送信せずにトランスペアレント・モード２で送信される（換言すると確認応答をしない）。
【００７７】
通信の最後で、端末１０２及び／または基地局１０１は、通信がＦＡＣＨチャネル３１２を通して終了することを示す。
【００７８】
次に、端末１０２は、スタンバイモード、及びシングルキャリヤ変調に基づく第１の通信モードに戻る。
【００７９】
基地局１０１は、次に、信号３１３、３１４、及び３１５をそれぞれＳＣＨチャネル、ＢＣＨチャネル、及びＰＣＨチャネルで送信し、これらの信号は前述されたようにそれぞれ信号３００、３０１、及び３０２に類似する。
【００８０】
図３によれば、ＯＦＤＭの使用は「ハンドオーバ」のインプリメンテーションを必要としない。セルの変更は、通常、２つの受信ブロックの間のＣＥＬＬ−ＦＡＣＨモードで行われ、特に、それは「ハンドオーバ」を正規化して、実現することの困難を知っていると有利である。
【００８１】
さらに、ＲＡＣＨ／ＦＡＣＨチャネルが使用されるために、データはビーム形成で送信できるであろう。端末１０２はＲＡＣＨ／ＦＡＣＨチャネルによって位置付けることができるであろう。
【００８２】
端末１０２は、それがＷＣＤＭＡ  ＦＤＤ型のシングルキャリヤチャネルで送ると同時に決してＯＦＤＭ信号を受信しない。ＦＤＤアップリンクチャネルから非常にかけ離れている必要はないことを考慮すると、これによりＯＦＤＭチャネルに使用される周波数帯の選択はかなり簡略化される。ＯＦＤＭチャネル上とＷＣＤＭＡ  ＦＤＤ型シングルキャリヤチャネル上とでの同時受信もない（つまり、端末１０２では二重無線受信機に対するニーズはない）。
【００８３】
さらに、ＯＦＤＭチャネル上での電力制御は、ＦＤＤチャネル上でのように連続的に実行される必要がなくなった。しかしながら、ネットワークは、それがＯＦＤＭで送信する電力を決定するためにＲＡＣＨを受信する電力を測定できる。
【００８４】
明らかに、本発明は前述された例の実施形態に限られていない。
【００８５】
特に、当業者は使用されるマルチキャリア変調の型の任意の変形を作ることができるであろう。したがって、変調は、例えば、特にウェーブコム社によって１９９８年４月１０日に提出された特許ＦＲ第９８  ０４８８３号に説明されるようなＯＦＤＭ型、あるいは１９９５年５月２日に提出された特許ＦＲ第９５  ０５４５５号に定義されるＩＯＴＡ型変調となるであろう。
【００８６】
本発明は、ＵＭＴＳと３Ｇネットワークに制限されていないが、特に、高スペクトル効率が必要とされて、チャネルがきわめて静止しているときに、送信局と端末との間の通信のために使用できる。したがって、本発明に対するサポートは、画像、音声及び／またはデータあるいはデジタル通信システムから（モバイルネットワーク、無線ＬＡＮ、または衛星への伝送または衛星からの伝送での）高いスループットの携帯電話に、あるいは音響伝送チャネルを使用する水中伝送の地上デジタル無線放送システムを含むことができるであろう。
【００８７】
本発明の多岐に渡る応用例があり、特に、それは高速インターネット型のサービスに使用することができる（本発明がＵＭＴＳに適用されると、ＲＡＣＨチャネルの低スループットは、それはＯＦＤＭチャネルの非常に高いスループットと組み合わされるとＧＳＭで、はるかに高くなるが、この種のサービスのニーズを満足する）。
【００８８】
本発明は、純粋に物理的な設備に限られないが、それがコンピュータプログラムの中の命令のシーケンスの形式で、あるいはハードウェア部分とソフトウェア部分を組み合わせる任意の形式でも使用できることに注意する。本発明が部分的にあるいは完全にソフトウェア形式で使用されると、対応する命令シーケンスは、取り外し自在の記憶手段（例えば、ディスケット、ＣＤ−ＲＯＭ、またはＤＶＤ−ＲＯＭなど）に記憶されてもよく、または必ずしも記憶されなくてもよく、この記憶手段は、部分的にあるいは完全にコンピュータまたはｍｉｃｒｏｍｅｔｈｏｄｏｒによって読み取り可能である。
【図面の簡単な説明】
【００８９】
【図１】本発明の１つの特定の実施形態によるネットワークのブロック図を示す。
【図２】図１に図示されるネットワーク内の「マイクロセル」基地局を説明する。
【図３】第１の通信モードから第２の通信モードに切り替えを可能にする、図１のネットワークのさまざまな要素間での通信プロトコルを示す。
【図１】
2005514865.tif 000003
【図２】
2005514865.tif 000004
【図３】
2005514865.tif 000005
【国際調査報告】
2005514865.tif 000006
2005514865.tif 000007
2005514865.tif 000008
2005514865.tif 000009
2005514865.tif 000010
2005514865.tif 000011